(57)【要約】【課題】本発明は、液晶パネルを使用し、カラー映像を映し出す液晶型映像表示装置とそのホワイトバランス制御方法に関するもので、ホワイトバランスの調整を速く行うことを目的とするものである。【解決手段】目標のホワイトバランスに調整したときのＲ(赤)、Ｇ(緑)、Ｂ(青)の比率を演算し、目標の輝度率特性を変更し、その調整用輝度率特性に従ってホワイトバランスを調整するホワイトバランス制御部と、このホワイトバランス制御部で生成されたＲ(赤)、Ｇ(緑)、Ｂ(青)のガンマ補正値を記録するガンマ補正値記録装置部と、前記目標のホワイトバランスと、目標の輝度率特性とを記録させておく目標値記録装置部とからなる構成とした。【選択図】図1
2009225440.tif 000002
【特許請求の範囲】
【請求項１】
映像信号を映し出し表示する映像表示部と、
ホワイトバランス制御に用いる映像信号を生成し、前記映像表示部に出力する入力映像信号を出力する映像信号制御部と、
前記スクリーンに投射された出力映像信号を三刺激値として出力する、もしくは三刺激値に変換できるデータを出力する光出力検出部と、
この光出力検出部から得られた三刺激値、もしくは光出力検出部から得られたデータを三刺激値に変換したデータを用い、目標のホワイトバランスに調整したときのＲ(赤)、Ｇ(緑)、Ｂ(青)の比率を演算し、目標の輝度率特性を変更し、その調整用輝度率特性に従ってホワイトバランスを調整するホワイトバランス制御部と、
このホワイトバランス制御部で生成されたＲ(赤)、Ｇ(緑)、Ｂ(青)のガンマ補正値を記録するガンマ補正値記録装置部と、
前記目標のホワイトバランスと、目標の輝度率特性とを記録させておく目標値記録装置部と、
を備えた液晶型映像表示装置。
【請求項２】
前記映像表示部は、
光源と、
この光源からの照明光と入力映像信号を合成して映像情報に変換する映像変換部と、
この映像変換部からの出力信号が投射されるスクリーンにより構成される、請求項１に記載の液晶型映像表示装置。
【請求項３】
所定信号の三刺激値を測定する第１の工程と、
上記三刺激値から目標のホワイトバランスに調整可能なＲ(赤)、Ｇ(緑)、Ｂ(青)の比率を算出する第２の工程と、
上記比率に応じて、Ｒ(赤)、Ｇ(緑)、Ｂ(青)の輝度を正規化するように目標の輝度率特性を変更する第３の工程と、
上記変更された輝度率特性と目標のホワイトバランスにしたがってホワイトバランスの調整を行う第４の工程により、
ガンマ補正値を決定するホワイトバランス制御方法。
【請求項４】
前記第３の工程において、所定の割合に対する、Ｒ(赤)、Ｇ(緑)、Ｂ(青)の輝度を正規化するように目標の輝度率特性を変更する請求項３に記載のホワイトバランス制御方法。
【発明の詳細な説明】
【技術分野】
【０００１】
本発明は、液晶パネルを使用し、カラー映像を映し出す液晶型映像表示装置とそのホワイトバランス制御方法に関するものである。
【背景技術】
【０００２】
従来のこの液晶型映像表示装置の構成は、以下のような構成となっていた。
【０００３】
すなわち、映像信号を映し出し表示する映像表示部と、ホワイトバランス制御に用いる映像信号を生成し、前記映像表示部に出力する入力映像信号を出力する映像信号制御部と、前記スクリーンに投射された出力映像信号のホワイトの色度と、Ｒ、Ｇ、Ｂ、それぞれの輝度を検出する光出力検出部と、Ｒ、Ｇ、Ｂの輝度比率を所望の比率に制御し、前記測定したホワイトの色度が目標値になっているかどうか測定し、前記目標値の差が所定の値以下になるように、前記Ｒ、Ｇ、Ｂの輝度比率をフィードバック調整するホワイトバランス制御部と、から構成されている。
【０００４】
このようにホワイトバランスを目標のホワイトになるように、Ｒ、Ｇ、Ｂの輝度比率をフィードバック調整しているホワイトバランス制御方法においては、そのフィードバックの回数を削減して、速く目標のホワイトバランスに調整できるように、ニュートンラプソン法による近似計算手段を導入したものがある（例えば下記特許文献１）。
【特許文献１】特開２００４−３２８３８６号公報
【発明の開示】
【発明が解決しようとする課題】
【０００５】
前記従来例における課題は、ホワイトバランスの調整に時間がかかってしまうことであった。
【０００６】
すなわち上記従来例においては、ホワイトの色度が目標値になっているかどうか測定し、前記目標値の差が所定の値以下になるように、前記Ｒ、Ｇ、Ｂの輝度比率をフィードバック調整するので、繰り返しの制御が必要になり、ホワイトバランスの調整に時間がかかってしまう。
【０００７】
そこで本発明は、ホワイトバランスの調整を速く行うことを目的とするものである。
【課題を解決するための手段】
【０００８】
そしてこの目的を達成するために本発明は、映像信号を映し出し表示する映像表示部と、ホワイトバランス制御に用いる映像信号を生成し、前記映像表示部に出力する入力映像信号を出力する映像信号制御部と、前記スクリーンに投射された出力映像信号を三刺激値として出力する、もしくは三刺激値に変換できるデータを出力する光出力検出部と、この光出力検出部から得られた三刺激値、もしくは光出力検出部から得られたデータを三刺激値に変換したデータを用い、目標のホワイトバランスに調整したときのＲ(赤)、Ｇ(緑)、Ｂ(青)の比率を演算し、目標の輝度率特性を変更し、その調整用輝度率特性に従ってホワイトバランスを調整するホワイトバランス制御部と、このホワイトバランス制御部で生成されたＲ(赤)、Ｇ(緑)、Ｂ(青)のガンマ補正値を記録するガンマ補正値記録装置部と、前記目標のホワイトバランスと、目標の輝度率特性とを記録させておく目標値記録装置部とからなる構成とした。
【０００９】
これにより所期の目的を達成するものである。
【発明の効果】
【００１０】
以上のように本発明は、映像信号を映し出し表示する映像表示部と、ホワイトバランス制御に用いる映像信号を生成し、前記映像表示部に出力する入力映像信号を出力する映像信号制御部と、前記スクリーンに投射された出力映像信号を三刺激値として出力する、もしくは三刺激値に変換できるデータを出力する光出力検出部と、この光出力検出部から得られた三刺激値、もしくは光出力検出部から得られたデータを三刺激値に変換したデータを用い、目標のホワイトバランスに調整したときのＲ(赤)、Ｇ(緑)、Ｂ(青)の比率を演算し、目標の輝度率特性を変更し、その調整用輝度率特性に従ってホワイトバランスを調整するホワイトバランス制御部と、このホワイトバランス制御部で生成されたＲ(赤)、Ｇ(緑)、Ｂ(青)のガンマ補正値を記録するガンマ補正値記録装置部と、前記目標のホワイトバランスと、目標の輝度率特性とを記録させておく目標値記録装置部とからなる構成としたので、ホワイトバランスの調整を速く行うことができるものである。
【００１１】
すなわち本発明においては、フィードバックによるホワイトバランスの調整は行わず、Ｒ、Ｇ、Ｂ、それぞれについて、所定の輝度諧調ごとに、三刺激値を測定して、その測定結果を組み合わせて計算を行い、所望のホワイトバランスになる組み合わせを基準の輝度ごとに決定することで、ホワイトバランスの調整を行うので、ホワイトバランスの調整を速く行うことができる。
【００１２】
さらには、最大輝度の白、赤、緑、青、最小輝度の黒の５つの信号の三刺激値を測定し、その三刺激値から、目標のホワイトバランスに調整可能なＲ(赤)、Ｇ(緑)、Ｂ(青)の比率を算出し、その比率に従って目標の輝度率特性を変更する。その変更された輝度率特性と目標のホワイトバランスにしたがってホワイトバランスの調整を行うので、コントラストを必要以上に低下させることなく、かつ、高諧調に至るまで精度の高い調整が可能になる。
【発明を実施するための最良の形態】
【００１３】
以下に、本発明の液晶型映像表示装置の形態を図面とともに詳細に説明する。
【００１４】
（実施の形態１）
実施の形態１では具体的なホワイトバランスの調整・制御について説明する。図１は、本発明の液晶型映像表示装置の構成図を示す。
【００１５】
本発明の液晶型映像表示装置では、映像信号を映し出し表示する映像表示部２０に映像信号が検知できる位置に光出力検出部５が設置されている。
【００１６】
光出力検出部５とは、光の三刺激値、もしくは三刺激値に変換可能な光の情報、例えば色度値と輝度などを測定できるセンサー素子である。この光出力検出部５に対して任意の信号を投射することができる映像信号制御部４があり、この映像信号制御部４では、光出力検出部５に対して映像のホワイトバランス、輝度を制御するために必要な映像信号を生成し映像表示部に表示される。
【００１７】
ホワイトバランスを制御するために必要な映像信号は、最大輝度を示す白映像信号、Ｒ（赤）、Ｇ（緑）、Ｂ（青）の各信号の最大出力、最小輝度を示すための黒映像信号の映像信号を映像信号制御部４で生成、映像表示部２０に表示される。
【００１８】
この映像信号は光出力検出部５からこの映像信号に応じた三刺激値、もしくは三刺激値に変換可能な情報が出力される。
【００１９】
この情報をホワイトバランス制御部６が受け取り、目標のホワイトバランスに調整したときのＲ(赤)、Ｇ(緑)、Ｂ(青)の比率を演算し、目標の輝度率特性を変更する。その変更された輝度率特性と目標のホワイトバランスにしたがってホワイトバランスの調整を行いホワイトバランスの制御をする。
【００２０】
目標値記憶装置部８に予め記録されたホワイトバランス、輝度情報と比較され、映像のホワイトバランス、輝度を制御するための情報が算出される。この算出された映像の色、輝度を制御するための情報をガンマ補正値と呼び、Ｒ（赤）、Ｇ（緑）、Ｂ（青）それぞれのガンマ補正値が存在する。ガンマ補正値はガンマ補正値記憶装置部７に記録され、テレビジョン信号などを表示する際、映像信号制御部４で使用される。
【００２１】
このことにより、本発明の液晶型映像表示装置は、ホワイトバランスの調整を速く行うことができるものである。
【００２２】
すなわち本発明においては、フィードバックによるホワイトバランスの調整は行わず、Ｒ、Ｇ、Ｂ、それぞれについて、所定の輝度諧調ごとに、三刺激値を測定して、その測定結果を組み合わせて計算を行い、所望のホワイトバランスになる組み合わせを基準の輝度ごとに決定することで、ホワイトバランスの調整を行うので、ホワイトバランスの調整を速く行うことができる。
【００２３】
さらには、最大輝度の白、赤、緑、青、最小輝度の黒の５つの信号の三刺激値を測定し、その三刺激値から、目標のホワイトバランスに調整可能なＲ(赤)、Ｇ(緑)、Ｂ(青)の比率を算出し、その比率に従って目標の輝度率特性を変更する。その変更された輝度率特性と目標のホワイトバランスにしたがってホワイトバランスの調整を行うので、コントラストを必要以上に低下させることなく、かつ、高諧調に至るまで精度の高い調整が可能になる。
【００２４】
図２に同様に本発明の液晶型映像表示装置の構成図を示す。
光源１を備え、この光源１からの照明光は投射のためにＲ（赤）、Ｇ（緑）、Ｂ（青）に分光される。
【００２５】
この分光された３原色の光と、映像信号制御部４での映像信号が映像変換部２において合成され、映像情報出力としてスクリーン３に投射される。
スクリーン３には、スクリーンに投射される映像信号が検知できる位置に光出力検出部５が設置されている。
【００２６】
光出力検出部５とは、光の三刺激値、もしくは三刺激値に変換可能な光の情報、例えば色度値と輝度など、を測定できるセンサー素子である。
【００２７】
この光出力検出部５に対して任意の信号を投射することができる映像信号制御部４があり、この映像信号制御部４では、光出力検出部５に対して映像のホワイトバランス、輝度を制御するために必要な映像信号を生成し映像変換部２を通して投射される。
【００２８】
本発明の制御するために必要な映像信号は、装置の最大輝度を示す白映像信号、Ｒ（赤）、Ｇ（緑）、Ｂ（青）の各信号の最大出力、最小輝度を示すための黒映像信号の映像信号を映像信号制御部４で生成、映像変換部２を通して投射される。
【００２９】
この投射された映像信号は光出力検出部５に投射され、光出力検出部５からこの映像信号に応じた三刺激値、もしくは三刺激値に変換可能な情報が出力される。
【００３０】
この情報をホワイトバランス制御部６が受け取り、目標のホワイトバランスに調整したときのＲ(赤)、Ｇ(緑)、Ｂ(青)の比率を演算し、目標の輝度率特性を変更する。その変更された輝度率特性と目標のホワイトバランスにしたがってホワイトバランスの調整を行いホワイトバランスの制御をする。
【００３１】
目標値記憶装置部８に予め記録されたホワイトバランス、輝度情報と比較され、映像のホワイトバランス、輝度を制御するための情報が算出される。この算出された映像の色、輝度を制御するための情報をガンマ補正値と呼び、Ｒ（赤）、Ｇ（緑）、Ｂ（青）それぞれのガンマ補正値が存在する。ガンマ補正値はガンマ補正値記憶装置部７に記録され、テレビジョン信号などを表示する際、映像信号制御部４で使用される。
【００３２】
このことにより、本発明の液晶型映像表示装置は、ホワイトバランスの調整を速く行うことができるものである。
【００３３】
すなわち本発明においては、フィードバックによるホワイトバランスの調整は行わず、Ｒ、Ｇ、Ｂ、それぞれについて、所定の輝度諧調ごとに、三刺激値を測定して、その測定結果を組み合わせて計算を行い、所望のホワイトバランスになる組み合わせを基準の輝度ごとに決定することで、ホワイトバランスの調整を行うので、ホワイトバランスの調整を速く行うことができる。
【００３４】
さらには、最大輝度の白、赤、緑、青、最小輝度の黒の５つの信号の三刺激値を測定し、その三刺激値から、目標のホワイトバランスに調整可能なＲ(赤)、Ｇ(緑)、Ｂ(青)の比率を算出し、その比率に従って目標の輝度率特性を変更する。その変更された輝度率特性と目標のホワイトバランスにしたがってホワイトバランスの調整を行うので、コントラストを必要以上に低下させることなく、かつ、高諧調に至るまで精度の高い調整が可能になる。
【００３５】
このホワイトバランス、及び輝度の制御方法のフローチャートを図３に示す。
ここに示すホワイトバランス、及び輝度の制御方法の詳細は、図２における構成での液晶型映像表示装置について記載する。
【００３６】
第１の工程により、ホワイトバランス制御に必要な映像信号が映像変換部２に映像信号制御部４から供給される。この映像信号は出力映像信号としてスクリーン３に投射され取り付けられている光出力検出部５で三刺激値出力として、もしくは三刺激値に変換できる情報として検出される。この時、出力される映像信号は最大輝度を示す白映像信号、Ｒ（赤）、Ｇ（緑）、Ｂ（青）の各信号の最大出力、最小輝度を示すための黒映像信号であり、これらの出力映像信号が上記、光出力検出部５で三刺激値出力として、もしくは三刺激値に変換できる情報として検出される。
【００３７】
第２の工程により、目標のホワイトバランスに調整を行う際にＲ（赤）、Ｇ（緑）、Ｂ（青）の最大輝度を利用した場合、Ｒ（赤）、Ｇ（緑）、Ｂ（青）の比率を演算にて求める。この比率はＧ（緑）の最大出力を基準とした場合に、Ｒ（赤）、Ｂ（青）がＲ（赤）、Ｂ（青）の最大出力に対してどのくらいの比率で必要かを表すパラメータとなる。
【００３８】
例えば、Ｇ（緑）を１とした場合に、Ｒ（赤）が１．３であったとすると、Ｇ（緑）の液晶パネルの透過率を最大にし、ダイナミックレンジをフルに使用した場合に、Ｒ（赤）はＲ（赤）の最大出力の１．３倍の出力が必要ということになる。しかし当然最大出力以上に出力が出来ない。よって目標のホワイトバランスに調整に正確に調整するためには相対的にＧ（緑）を下げる必要がある。Ｇ（緑）を下げれば相対的にＲ（赤）の出力は少なくて済むことになる。
【００３９】
Ｇ（緑）の三刺激値ＸＹＺのＹ刺激値は装置の輝度成分の大半を占め、装置の輝度性能に大きな影響を与える。上記のようにＧ（緑）を基準にした場合に、Ｒ（赤）の出力が足りない場合、Ｇ（緑）の出力をさげ、すなわち装置の最大輝度を下げることで装置の最大輝度出力時であってもホワイトバランスが正確に調整されることを意味する。
【００４０】
コントラストを優先し、Ｇ（緑）のダイナミックレンジをフルに使用した場合には、上記条件のような場合に、ホワイトバランスが正確に目標の値にならない。
【００４１】
本発明の実施の形態では、目標のホワイトバランスに調整するためのＲ（赤）、Ｇ（緑）、Ｂ（青）の最大出力についての比率を演算で求めることで、Ｇ（緑）の下げ幅、つまりは装置の輝度、コントラストの下げ幅を正確に、かつ、最低限に抑えることになる。その演算方法について下記に詳細に記述する。
【００４２】
本発明に必要な信号は装置の最大輝度を示す白映像信号、Ｒ（赤）、Ｇ（緑）、Ｂ（青）の各信号の最大出力、最小輝度を示すための黒映像信号の映像信号であり、その信号は前記のように映像信号制御部４で生成、映像変換部２を通して投射され、光出力検出部５にてその色情報が取得されている。
【００４３】
装置の最大輝度を示す白信号のＣＩＥ色度値をｘｎ、ｙｎ。三刺激値をＸｎ、Ｙｎ，Ｚｎと定義する。
【００４４】
一方、目標のＣＩＥ色度値をｘｃ、ｙｃ。三刺激値をＸｃ、Ｙｃ、Ｚｃと定義する。
ＣＩＥ色度値ｘ、ｙと三刺激値Ｘ、Ｙ、Ｚの間には次の関係が成り立っている。
【００４５】
【数１】
2009225440.tif 000003
【００４６】
【数２】
2009225440.tif 000004
【００４７】
すなわち、下記のようになる。
【００４８】
【数３】
2009225440.tif 000005
【００４９】
【数４】
2009225440.tif 000006
【００５０】
【数５】
2009225440.tif 000007
【００５１】
【数６】
2009225440.tif 000008
【００５２】
ここで、ｘｎ、ｙｎとｘｃ、ｙｃの関係を数７、数８のように定義する。Ａ、Ｂ’、Ｃは定数。
【００５３】
【数７】
2009225440.tif 000009
【００５４】
【数８】
2009225440.tif 000010
【００５５】
さらに、Ｒ（赤）の最大出力の三刺激値をＸＲｎ、ＹＲｎ、ＺＲｎ。Ｇ（緑）の最大出力の三刺激値をＸＧｎ、ＹＧｎ、ＺＧｎ。Ｂ（青）の最大出力の三刺激値をＸＢｎ、ＹＢｎ、ＺＢｎと表現すると、装置の最大輝度を示す白信号の三刺激値Ｘｎ、Ｙｎ，Ｚｎは以下の関係が成り立つ。
【００５６】
【数９】
2009225440.tif 000011
【００５７】
【数１０】
2009225440.tif 000012
【００５８】
【数１１】
2009225440.tif 000013
【００５９】
ここで、各色のＸ/Ｙ、Ｙ/Ｚ、Ｘ/Ｚが各諧調で一定であるとし、Ｒ（赤）、Ｂ（青）のみレベルが可変されたと仮定して、数７、数８の各成分を次のように表す。
【００６０】
【数１２】
2009225440.tif 000014
【００６１】
【数１３】
2009225440.tif 000015
【００６２】
【数１４】
2009225440.tif 000016
【００６３】
上記、数7、数8、数12、数13、数14の５式の連立方程式を解くことにより、D及びＥを算出することができる。
【００６４】
以上のように目標のホワイトバランスに調整するための、Ｇ（緑）の最大出力を基準とした場合に、Ｒ（赤）、Ｂ（青）がＲ（赤）、Ｂ（青）の最大出力に対してどのくらいの比率で必要かを表すパラメータＤとＥが求まったことになる。
【００６５】
すなわちＲ（赤）、Ｇ（緑）、Ｂ（青）の３色の最大出力時の三刺激値ＸＲｎ、ＸＧｎ、ＸＢｎ、ＹＲｎ、ＹＧｎ、ＹＢｎ、ＺＲｎ、ＺＧｎ、ＺＢｎを測定し値を入手して、αＲ、αＧ、βＧ、βＢ、γＲ、γＢを計算で求め数３４、数３５に至る演算を行うことで目標のホワイトバランスになる時のＧ（緑）を基準としたＲ（赤）、Ｂ（青）のそれぞれの最大出力に対する比率Ｄ、Ｅが求まる。
【００６６】
ただし、必要に応じて最小輝度を示す黒を測定した時の三刺激値をそれぞれの三刺激力減算しておく。このゼロ補正によりより正確な演算が可能となる。
【００６７】
第３の工程により、目標の輝度率特性を変更する。輝度率特性とは映像信号制御部４に入力される信号に対する、光出力検出部５で検出される白色信号の輝度の比率のことである。つまり、入力信号の最大値が入力された時に、光出力検出部での検出輝度も最大となる。その最大時の輝度を１００％として０％までの輝度の比率のことである。
【００６８】
装置の最大輝度を可能な限りあげるためには、前記のようにＧ（緑）の液晶パネルの透過率を最大にすることで、装置の輝度は向上する。しかし、Ｇ（緑）の液晶パネルの透過率を最大にすると装置の最大輝度付近でホワイトバランスの調整が破綻し目標のホワイトバランスにならない可能性がある。
【００６９】
そこで、入力信号１００％が入力された時に、目標の輝度率特性の最大値がＧ（緑）の液晶パネルの透過率の１００％ではなく何％になっていれば、正確なホワイトバランスの調整が出来るかを、前記第２の工程で求めた比率Ｄ、Ｅを利用して、目標の輝度率特性を変更する。デフォルトで用意している目標の輝度率特性は、入力信号１００％が入力された時に、目標の輝度率特性の最大値がＧ（緑）の液晶パネルの透過率の１００％になることを前提に用意しておく。これが装置として最も輝度の性能が出る情報である。この輝度率特性をある数値で除算し、Ｇ（緑）の液晶パネルの最大透過率を下げる。もちろん、入力信号１００％から０％までの比率は一定となる。
【００７０】
ここで、目標の輝度率特性の変更方法について記述する。
前記第２の工程で導き出された、比率はＧ（緑）の最大出力を基準とした場合に、Ｒ（赤）、Ｂ（青）がＲ（赤）、Ｂ（青）の最大出力に対してどのくらいの比率で必要かを表すパラメータＤとＥがある。
【００７１】
ＤもしくはＥのどちらか一方の数値が１以上の場合、ＤとＥを比較し、大きな数値でデフォルトの目標の輝度率特性を除算することで、前記ＤもしくはＥの値を正規化する。
【００７２】
つまり、言い換えれば、第２の工程で算出した比率で目標の色温度に調整できるために
は、Ｒ（赤）、Ｇ（緑）、Ｂ（青）の輝度が最大出力を超えないように正規化する必要が
ある。輝度率特性を変更することで、その正規化をすることができる。
結果の輝度率特性を「調整用輝度率特性」とすれば
【００７３】
【数３６】
2009225440.tif 000017
【００７４】
となる。
【００７５】
第４の工程により、この調整用輝度率特性を利用しホワイトバランス調整を行うことで、装置の最大輝度まで正確な精度のよいホワイトバランスをえることができるようになる。
【００７６】
次に、ホワイトバランスの調整の詳細について、フローチャートを図４に示す。
【００７７】
第１の工程により、ホワイトバランス制御（このホワイトバランス制御には、ガンマ補正値を生成するため、輝度制御についても同意で同時に行われる。）に必要な映像信号が映像変換部２に映像信号制御部４から供給される。
【００７８】
第２の工程により、この映像信号は出力映像信号としてスクリーン３に投射され取り付けられている光出力検出部５で三刺激値出力として、もしくは三刺激値に変換できる情報として検出される。この時、出力される映像信号はＲ（赤）、Ｇ（緑）、Ｂ（青）すべてが最大輝度を示す白映像信号、Ｒ（赤）、Ｇ（緑）、Ｂ（青）すべてが最小輝度を示す黒映像信号、Ｒ（赤）、Ｇ（緑）、Ｂ（青）それぞれの最大輝度を示すためのＲ（赤）、Ｇ（緑）、Ｂ（青）それぞれの映像信号とＲ（赤）、Ｇ（緑）、Ｂ（青）それぞれの最小輝度を示すためのＲ（赤）、Ｇ（緑）、Ｂ（青）それぞれの映像信号の間における複数ポイントの映像信号であり、これらの出力映像信号が上記、光出力検出部５で三刺激値出力として、もしくは三刺激値に変換できる情報として検出される。
【００７９】
第３の工程によりＧ（緑）の三刺激値のうちＹ刺激値を直線補完し、目標の輝度率特性に変換しＧ（緑）のガンマ補正値を演算する。その演算方法について以下に記述する。
【００８０】
まずは第３の工程の演算で使用する関数を定義する。
【００８１】
ホワイトバランス制御に必要な信号の内、最大輝度から最小輝度の間における映像信号を複数のPointに分ける。この複数のPointを0、1、2・・・n・・・n-max、
映像信号制御部４の入力信号を       fi(n)、
映像信号制御部４の出力信号を       fo(n)、
Ｇ（緑）のガンマ補正値をG-Gamma(n)とする。
【００８２】
例えば映像信号制御部４に入力される信号が10bit、出力される信号が10bit、だと仮定しn-maxを64とすると、各入出力の10bitの信号を64等分したことになる。
上記例に拠れば、     fi(64)=1023
fo(64)=1023
ガンマ補正値は映像信号制御部４への入力信号fiに対する出力信号foのルックアップテーブルデータであるため、ガンマ補正適用後にはＧ（緑）の映像信号制御部４の出力信号fo(n)は数１０１に示すように表される。
【００８３】
【数１０１】
2009225440.tif 000018
【００８４】
また、目標値記憶装置部８に目標の輝度率特性が記録されている。輝度率特性とは映像信号制御部４に入力される信号fi(n)に対する、光出力検出部５で検出される白色信号の輝度の比率のことである。
【００８５】
ここで、上記第１の工程と第２の工程の内容を補足すると、第１の工程で出力される、ホワイトバランス制御に必要な映像信号制御部４から映像変換部２に供給される映像信号は各ＲＧＢの０Pointから“n-max”Pointまでの映像信号fo(n)であり、第２の工程で検出される離散的なデータとは、映像信号処理部で処理する信号のダイナミックレンジを０からn-maxまでの複数のポイントで離散的に分割した、すなわち信号レベルがPointごとに違う第１の工程で出力される映像信号fo(n)が、スクリーンに投射された光を光出力検出部５で測定したデータとなる。
【００８６】
測定で取得したＧ（緑）の三刺激値の内、Ｙ刺激値をLG(n)と定義する。LG(n)から０Point目の時の値LG(0)の値を差し引いたものを改めてL’G(n)とする。
L’G(n) は数１０２のように定義する。
【００８７】
【数１０２】
2009225440.tif 000019
【００８８】
この数１０２を元にＧ（緑）の三刺激値の内、Ｙ刺激値を代表としたＧ（緑）の透過率特性をftx(n)と定義し、Ｇ（緑）の透過率特性ftx(n)は数１０３に示すように表す。
【００８９】
【数１０３】
2009225440.tif 000020
【００９０】
（数１０３は(%)が単位となる）
目標の輝度率特性は入力信号をfi(n)とし  ft(n)(%)で表す。
以下の計算式に従い、目標の輝度率特性にＧ（緑）の三刺激値のＹ刺激値が変換する。Ｇ（緑）のガンマ補正値fo(n)はこの計算式にて求められる。
“n”Point目のガンマ補正値fo(n)を求めるときにft(n)とftx(n)を比較し場合分けを行う。計算はn =maxから下げる方向で計算をおこなう。
ftx(n)＞ft(n)の場合
ft(n)とftx(n-1)、ftx(n-2)……を比較して
ft(n)＞ftx(α)となるαの値を求める。    （ftx(n)＞ft(n)の逆転するところを探す）
Ｇ（緑）のガンマ補正値は、数１０４のように算出される。
【００９１】
【数１０４】
2009225440.tif 000021
【００９２】
ftx(n)＜ft(n)の場合
ft(n)とftx(n+1)、ftx(n+2)……を比較して
ft(n)＜ftx(β)となるβ値を求める。    (ftx(n)＜ft(n)の逆転するところを探す）
Ｇ（緑）のガンマ補正値は、数１０５のように算出される。
【００９３】
【数１０５】
2009225440.tif 000022
【００９４】
ftx(n)=ft(n)の場合
Ｇ（緑）のガンマ補正値は、数１０６のように算出される。
【００９５】
【数１０６】
2009225440.tif 000023
【００９６】
以上のように全てのポイントに対して３通りの場合分けをおこないＧ（緑）ガンマ補正値G-Gamma(n)を求める。同様の計算式を用い、“n”Point目のＧ（緑）の三刺激値を計算にて求めておく。ここでもとめた三刺激値はホワイトバランスの演算時に、基準となるデータとして使用する。
【００９７】
第４の工程により、Ｇ（緑）の特定の諧調“n”におけるＧ（緑）の三刺激値に対して、目標のホワイトバランスになるＲ（赤）とＢ（青）の三刺激値を直線補完して演算し、その三刺激値からＲ（赤）とＢ（青）のガンマ補正値を演算する。その演算方法について記述する。
【００９８】
まず、第４の工程の演算で用いるパラメータを定義する
演算を行っていくPoint“n”における目標のホワイトバランス値を示すＣＩＥ色度を、x(n)、y(n)とする。
【００９９】
一般にＣＩＥ色度ｘ、ｙと三刺激値Ｘ、Ｙ、Ｚの間には数１０７、数１０８の関係が成立している。
【０１００】
【数１０７】
2009225440.tif 000024
【０１０１】
【数１０８】
2009225440.tif 000025
【０１０２】
各調整Point“n”における”ホワイトバランスを示す色度値xo(n)、yo(n)は数１０９、数１１０で表される。
【０１０３】
【数１０９】
2009225440.tif 000026
【０１０４】
【数１１０】
2009225440.tif 000027
【０１０５】
ここで、XRl、YRl、ZRlはＲ（赤）の三刺激値であり、lは第２の工程で得られたＲ（赤）の三刺激値を、foの最大分解能まで直線補完したデータとする。10bitであれば0から1023までの値である。
【０１０６】
例えばn-max=64の場合、10bitの信号は64等分されたとして、10進数換算で16ごとのステップで分割されている。よってl(n)=16×nのデータは第２の工程により、測定されている。ここでl(n)=16×n以外の値、例えばl=24の三刺激値の値はl(1)=16の時の三刺激値とl(2)=32の時の三刺激値のちょうど真ん中のデータとなる。
【０１０７】
同様に、XBm、YBm、ZBmはＢ（青）の三刺激値であり、mは第２の工程で得られたＢ（青）三刺激値を、foの最大分解能まで直線補完したデータとする。10bitであれば0から1023までの値である。よって第２の工程で得られた三刺激値のデータを、直線補完を用いてすべてのfoについてデータを演算させて求めた値となる。
【０１０８】
Point“n”の緑色の三刺激値は第３の工程の演算によりすでに求まっているため固定値として扱うことが出来る。並び替えると数１１１、数１１２のように表す。
【０１０９】
【数１１１】
2009225440.tif 000028
【０１１０】
【数１１２】
2009225440.tif 000029
【０１１１】
ＲＧＢの三色のパネルから出た光を混色して出力するプロジェクションの特性を考慮して上記数１１１と数１１２を以下の数１１３と数１１４のように演算する。このことにより低諧調を制度よく演算する。
【０１１２】
【数１１３】
2009225440.tif 000030
【０１１３】
【数１１４】
2009225440.tif 000031
【０１１４】
上記、直線補完で求めたＲ（赤）とＢ（青）の三刺激値XRl、YRl、ZRlとXBm、YBm、ZBmを、すべて代入しPoint“n”の色度値を演算させる。
【０１１５】
例えば入出力信号が10bitの場合、lとmは1024個のデータであり、算出されたホワイトバランスを示す色度値xo(n)、yo(n)は1024×1024の1048576個のデータとなる。但し、第２の工程で測定したPoint数n-maxがすでに1023Pointであればそれ以上の分解能を得ることは出来ない。入出力信号の分解能よりも小さなPointで第２の工程を測定する場合に直線補完を行う意味がある。
【０１１６】
このようにして求めたxo(n)、yo(n)と目標のホワイトバランスを示す色度値x(n)、y(n)がどのくらい離れているかを確認するためにxo(n) 、yo(n)と目標のホワイトバランスを示す色度値x(n)、y(n)の距離を示す距離Δを数１１５で算出する。
【０１１７】
【数１１５】
2009225440.tif 000032
【０１１８】
上記数１１５で求められた距離Δが最小値になる、lとmの組合せを選出する。各Point“n”それぞれにlとmが求まるため、Ｒ（赤）とＢ（青）のガンマ補正値をR-Gamma(n)、B-Gamma(n)とした場合、R-Gamma(n) 、B-Gamma(n)は数１１６、数１１７で算出される。
【０１１９】
【数１１６】
2009225440.tif 000033
【０１２０】
【数１１７】
2009225440.tif 000034
【０１２１】
これにより、Ｒ（赤）とＢ（青）のガンマ補正値が求まる。
これらの演算によりＲ（赤）、Ｇ（緑）、Ｂ（青）のガンマ補正値R-Gamma(n) 、G-Gamma(n) 、B-Gamma(n)がすべて求まったことになる。
【０１２２】
第５の工程により、求まったこのガンマ補正値をガンマ補正記録装置部７に保存する。
ここに保存されたガンマ補正値は映像信号処理部４によって、ガンマ補正値は映像信号制御部４への入力信号fiに対する出力信号foのルックアップテーブルデータとして使用される。
【０１２３】
このことにより、本発明の液晶型映像表示装置は、ホワイトバランスの調整を速く行うことができるものである。
【０１２４】
すなわち本発明においては、フィードバックによるホワイトバランスの調整は行わず、Ｒ、Ｇ、Ｂ、それぞれについて、所定の輝度諧調ごとに、三刺激値を測定して、その測定結果を組み合わせて計算を行い、所望のホワイトバランスになる組み合わせを基準の輝度ごとに決定することで、ホワイトバランスの調整を行うので、ホワイトバランスの調整を速く行うことができる。
【０１２５】
さらには、最大輝度の白、赤、緑、青、最小輝度の黒の５つの信号の三刺激値を測定し、その三刺激値から、目標のホワイトバランスに調整可能なＲ(赤)、Ｇ(緑)、Ｂ(青)の比率を算出し、その比率に従って目標の輝度率特性を変更する。その変更された輝度率特性と目標のホワイトバランスにしたがってホワイトバランスの調整を行うので、コントラストを必要以上に低下させることなく、かつ、高諧調に至るまで精度の高い調整が可能になる。
【０１２６】
（実施の形態２）
実施の形態２では実施の形態１におけるホワイトバランスの調整・制御を行うためのガンマ補正値の演算を、より効率的に行うための方法について説明する。
【０１２７】
実施の形態１と同じ構成の液晶型映像表示装置において、ホワイトバランスの調整・制御を行うためのガンマ補正値の演算を行う場合、より効率的に行うためのフローチャートを図５に示す。
【０１２８】
第１の工程、第２の工程、第３の工程においては実施の形態１と同じ工程を行う。詳細は実施の形態１を参照のこと。
【０１２９】
第４の工程により、Ｇ（緑）の特定の諧調“n”におけるＧ（緑）の三刺激値に対して、目標のホワイトバランスになるＲ（赤）とＢ（青）の三刺激値を直線補完せずに演算する。その演算方法について記述する。
【０１３０】
まず、第４の工程の演算で用いるパラメータを定義する
演算を行っていくPoint“n”における目標のホワイトバランス値を示すＣＩＥ色度を、x(n)、y(n)とする。
【０１３１】
一般にＣＩＥ色度ｘ、ｙと三刺激値Ｘ、Ｙ、Ｚの間には数1１８、数1１９の関係が成立している。
【０１３２】
【数１１８】
2009225440.tif 000035
【０１３３】
【数１１９】
2009225440.tif 000036
【０１３４】
各調整Point“n”におけるホワイトバランスを示す色度値xo(n) 、yo(n)は数1２０、数1２１で表される。
【０１３５】
【数１２０】
2009225440.tif 000037
【０１３６】
【数１２１】
2009225440.tif 000038
【０１３７】
ここで、XRn’ 、YR n’ 、ZR n’はＲ（赤）の三刺激値であり、n’は第２の工程で使用したPointのことである。  同様に、XBn” 、YB n” 、ZB n”はＢ（青）の三刺激値であり、n”は第２の工程で使用したPointのことである。
【０１３８】
Point“n”の緑色の三刺激値は第３の工程の演算によりすでに求まっているため固定値として扱うことが出来る。並び替えると数1２２、数1２３のように表す。
【０１３９】
【数１２２】
2009225440.tif 000039
【０１４０】
【数１２３】
2009225440.tif 000040
【０１４１】
ＲＧＢの三色のパネルから出た光を混色して出力するプロジェクションの特性を考慮して上記数1２２と数1２３を以下の数1２４と数1２５のように演算する。このことにより低諧調を制度よく演算する。
【０１４２】
【数１２４】
2009225440.tif 000041
【０１４３】
【数１２５】
2009225440.tif 000042
【０１４４】
上記、第２の工程で測定したＲ（赤）とＢ（青）の三刺激値XRn’ 、YR n’ 、ZR n’とXBn” 、YB n” 、ZB n”を、すべて代入しPoint“n”の色度値を演算させる。
【０１４５】
このようにして求めたxo(n) 、yo(n)と目標のホワイトバランスを示す色度値x(n) 、y(n)がどのくらい離れているかを確認するためにxo(n) 、yo(n)と目標のホワイトバランスを示す色度値x(n) 、y(n)の距離を示す距離Δを数1２６で算出する。
【０１４６】
【数１２６】
2009225440.tif 000043
【０１４７】
上記数1２６で求められた距離Δが最小値になる、n’とn”の組合せを選出する。各Point“n”それぞれにn’とn”が求まる。
【０１４８】
補足として、第２の工程で測定したPointの最大値n-max、n’-max、n”-maxが、上記演算の制度において十分に大きい場合、例えば入出力の信号が10bitであった場合、各Pointの最大値n-max、n’-max、n”-maxが1024であれば以下の工程は必要ない。各Pointの最大値n-max、n’-max、n”-maxが64などの場合に以下の工程での意味がある。
【０１４９】
上記数1２６で求めた距離Δが、規定する数値よりも大きな場合、ホワイトバランスの演算が不十分と判断する。
【０１５０】
第５の工程により、第４の工程で求めたＲ（赤）とＢ（青）のPoint n’とn”をセンターとして
n’± p  （pは規定の整数）
n”± q  （qは規定の整数）
のPointの三刺激値を直線補完で入出力信号の分解能を最大値として分割する。
その分割したPointの出力値をl’、m’として定義する。実施の形態１のl、mと同義。
ホワイトバランスを示す色度値xo(n) 、yo(n)を再度数1２７、数1２８で算出する。
【０１５１】
【数１２７】
2009225440.tif 000044
【０１５２】
【数１２８】
2009225440.tif 000045
【０１５３】
このようにして求めたxo(n) 、yo(n)と目標のホワイトバランスを示す色度値x(n) 、y(n)がどのくらい離れているかを確認するためにxo(n) 、yo(n)と目標のホワイトバランスを示す色度値x(n) 、y(n)の距離を示す距離Δ’を数1２９で算出する。
【０１５４】
【数１２９】
2009225440.tif 000046
【０１５５】
上記数２９で求められた距離Δ’が最小値になる、l’とm’の組合せを選出する。各Point“n”それぞれにl’とm’が求まるため、Ｒ（赤）とＢ（青）のガンマ補正値をR-Gamma(n) 、B-Gamma(n)とした場合、R-Gamma(n) 、B-Gamma(n)は数1３０、数1３１で算出される。
【０１５６】
【数１３０】
2009225440.tif 000047
【０１５７】
【数１３１】
2009225440.tif 000048
【０１５８】
これにより、Ｒ（赤）とＢ（青）のガンマ補正値が求まる。
【０１５９】
これらの演算によりＲ（赤）、Ｇ（緑）、Ｂ（青）のガンマ補正値R-Gamma(n) 、G-Gamma(n) 、B-Gamma(n)がすべて求まったことになる。直線補完を行う範囲を限定することにより、同じ精度で効率よくホワイトバランスの演算を行うことが出来る。
【０１６０】
第６の工程により、求まったこのガンマ補正値をガンマ補正記録装置部７に保存する。
ここに保存されたガンマ補正値は映像信号処理部４によって、ガンマ補正値は映像信号制御部４への入力信号fiに対する出力信号foのルックアップテーブルデータとして使用される。
【０１６１】
このことにより、本発明の液晶型映像表示装置は、ホワイトバランスの調整を速く行うことができるものである。
【０１６２】
すなわち本発明においては、フィードバックによるホワイトバランスの調整は行わず、Ｒ、Ｇ、Ｂ、それぞれについて、所定の輝度諧調ごとに、三刺激値を測定して、その測定結果を組み合わせて計算を行い、所望のホワイトバランスになる組み合わせを基準の輝度ごとに決定することで、ホワイトバランスの調整を行うので、ホワイトバランスの調整を速く行うことができる。
【０１６３】
さらには、最大輝度の白、赤、緑、青、最小輝度の黒の５つの信号の三刺激値を測定し、その三刺激値から、目標のホワイトバランスに調整可能なＲ(赤)、Ｇ(緑)、Ｂ(青)の比率を算出し、その比率に従って目標の輝度率特性を変更する。その変更された輝度率特性と目標のホワイトバランスにしたがってホワイトバランスの調整を行うので、コントラストを必要以上に低下させることなく、かつ、高諧調に至るまで精度の高い調整が可能になる。
【０１６４】
実施の形態１、実施の形態２の両方において、第２の工程で三刺激値を複数Point、離散的に測定する。この複数Pointは上記のようにn等分され測定Pointを決定することになっているが、ホワイトバランスの制御において調整時間の短縮を行うためには、nを小さくする。もしくはn等分したPointの内、必要とされるPointのみを抜き出して、等分ではなく、あるPoint近くは密に。あるPoint近くは粗に決定することで、必要な情報を効率的に収集し演算に利用することが出来る。
【０１６５】
また、全てのPointについてΔを計算してから、Δが最小値になるガンマ補正値を算出するのではなく、たとえば、輝度の低い側より計算を行い、順次Δが最小値になるガンマ補正地を算出してゆくことにより、さらに調整を速く行うことができる。
【０１６６】
（実施の形態３）
実施の形態３では実施の形態１、実施の形態２においてホワイトバランスの調整・制御を行うためのガンマ補正値の演算行った後、演算結果が一定以上ずれていた場合に、あらかじめ準備しておいた調整補完用ガンマ補正値に置き換えることで、調整がずれてくるようなことがあっても見た目に自然な変化を保つことが出来る。この方法をフローチャート図６に示す。
【０１６７】
第１の工程、第２の工程、第３の工程においては実施の形態１と同じ工程を行う。詳細は実施の形態１を参照のこと。
【０１６８】
第４の工程により、Ｒ（赤）の三刺激値のうちＸ刺激値を直線補完し、目標の輝度率特性に変換し、Ｒ（赤）の調整補完用ガンマ補正値を演算する。
【０１６９】
演算の方法は第３の工程と同様であり、第３の工程がＧ（緑）の三刺激値のうちＹ刺激値を使用してＧ（緑）のガンマ補正値を演算したように、第４の工程ではＲ（赤）の三刺激値のうちＸ刺激値を使用して演算を行う。
【０１７０】
得られた結果はＲ（赤）の調整補完用ガンマ補正値として、後で使用するために一時的に保存しておく。
【０１７１】
第５の工程により、Ｂ（青）の三刺激値のうちＺ刺激値を直線補完し、目標の輝度率特性に変換し、Ｂ（青）の調整補完用ガンマ補正値を演算する。
【０１７２】
演算の方法は第３の工程と同様であり、第３の工程がＧ（緑）の三刺激値のうちＹ刺激値を使用してＧ（緑）のガンマ補正値を演算したように、第４の工程ではＢ（青）の三刺激値のうちＺ刺激値を使用して演算を行う。
【０１７３】
得られた結果はＢ（青）の調整補完用ガンマ補正値として、後で使用するために一時的に保存しておく。
【０１７４】
第６の工程により、実施の形態１の第４の工程もしくは実施の形態２の第４の工程と第５の工程と同様の演算にてＲ（赤）、Ｂ（青）のガンマ補正値R-Gamma(n)、B-Gamma(n)を求めていく。この工程の中で最終演算結果を求める時に使用する、距離の値（実施の形態１の数１１５で求まる距離Δ、実施の形態２の数１２６で求まる距離Δ’）の最小の値が、あらかじめ設定しておいた数値よりも大きい時のPoint“r”が、あらかじめ設定しておいたPointよりも大きい場合に、Point“r”より大きなPointのＲ（赤）のガンマ補正値 R-Gamma(n)の値を、第４の工程で求めたＲ（赤）の調整補完用ガンマ補正値に置き換える。同様にPoint“r”より大きなPointのＢ（青）のガンマ補正値B-Gamma(n)の値を、第５の工程で求めたＢ（青）の調整補完用ガンマ補正値に置き換える。
【０１７５】
第７の工程により、求まったこのガンマ補正値をガンマ補正記録装置部７に保存する。
ここに保存されたガンマ補正値は映像信号処理部４によって、ガンマ補正値は映像信号制御部４への入力信号fiに対する出力信号foのルックアップテーブルデータとして使用することにより、本発明の液晶型映像表示装置は、目標の輝度率特性がＬＣＤパネルの特性と合わずに、ホワイトバランスが目標の値からずれることがあっても、装置の最大輝度までのホワイトバランスを自然に変化させ、使用者に違和感を与えることがないホワイトバランスを手に入れることが出来る。
【０１７６】
（実施の形態４）
本発明の制御方法によれば、ホワイトバランスの調整を、入力信号のあるレベルまで正確にホワイトバランスの調整を行うかを、任意に設定することが出来る。つまり目標の輝度率特性を鑑みれば装置の最大輝度に対して、何％の輝度までホワイトバランスの調整を正確に行うかを任意に決定できる。
【０１７７】
その方法について記述する。
前記実施の形態１の装置と方法において、上記、何％の輝度までホワイトバランスの調整を正確に行うかを任意に決定する、％を決めておき、ここで、その値を小数でＱとして定義する。
【０１７８】
第１の工程により三刺激値を実施の形態１と同様に測定する。  第２の工程により比率ＤとＥを実施の形態１同様に算出する。
【０１７９】
第３の工程により第２の工程で算出されたＤもしくはＥのどちらか一方の数値が、１／Ｑの値以上の場合、ＤとＥを比較し、大きな数値でデフォルトの目標の輝度率特性を除算しさらにＱで除算する。
【０１８０】
結果の輝度率特性を「調整用輝度率特性」とすれば
【０１８１】
【数１３２】
2009225440.tif 000049
【０１８２】
となる。
【０１８３】
具体的には装置の最大輝度の０％から９０％まで正確なホワイトバランス調整を行う場合、Ｑ＝０．９となり、調整輝度率特性は目標の輝度率特性をＤもしくはＥとＱを乗算したもので除算することで求まる。
つまり、最大輝度の９０％まではホワイトバランスが目標にあった映像表示ができ、９０％から１００％では、輝度を優先した映像モードをもった装置の実現も可能である。
【０１８４】
この方法により、ホワイトバランスの調整を、入力信号のあるレベルまで正確にホワイトバランスの調整を行うかを、任意に設定することが出来る。目標の輝度率特性を鑑みれば装置の最大輝度に対して、何％の輝度までホワイトバランスの調整を正確に行うかを任意に決定できる。
【産業上の利用可能性】
【０１８５】
以上のように本発明は、映像信号を映し出し表示する映像表示部と、ホワイトバランス制御に用いる映像信号を生成し、前記映像表示部に出力する入力映像信号を出力する映像信号制御部と、前記スクリーンに投射された出力映像信号を三刺激値として出力する、もしくは三刺激値に変換できるデータを出力する光出力検出部と、この光出力検出部から得られた三刺激値、もしくは光出力検出部から得られたデータを三刺激値に変換したデータを用い、目標のホワイトバランスに調整したときのＲ(赤)、Ｇ(緑)、Ｂ(青)の比率を演算し、目標の輝度率特性を変更し、その調整用輝度率特性に従ってホワイトバランスを調整するホワイトバランス制御部と、このホワイトバランス制御部で生成されたＲ(赤)、Ｇ(緑)、Ｂ(青)のガンマ補正値を記録するガンマ補正値記録装置部と、前記目標のホワイトバランスと、目標の輝度率特性とを記録させておく目標値記録装置部とからなる構成としたので、ホワイトバランスの調整を速く行うことができるものである。
【０１８６】
すなわち本発明においては、フィードバックによるホワイトバランスの調整は行わず、Ｒ、Ｇ、Ｂ、それぞれについて、所定の輝度諧調ごとに、三刺激値を測定して、その測定結果を組み合わせて計算を行い、所望のホワイトバランスになる組み合わせを基準の輝度ごとに決定することで、ホワイトバランスの調整を行うものであるので、液晶テレビなどの液晶型映像表示装置のホワイトバランスの調整を速く行うことができる。
【０１８７】
さらには、最大輝度の白、赤、緑、青、最小輝度の黒の５つの信号の三刺激値を測定し、その三刺激値から、目標のホワイトバランスに調整可能なＲ(赤)、Ｇ(緑)、Ｂ(青)の比率を算出し、その比率に従って目標の輝度率特性を変更する。その変更された輝度率特性と目標のホワイトバランスにしたがってホワイトバランスの調整を行うので、コントラストを必要以上に低下させることなく、かつ、高諧調に至るまで精度の高い調整が可能になる。
【０１８８】
したがって、ホワイトバランスの精度と調整速度が求められる液晶型映像表示装置への適用が大いに期待されるものである。
【図面の簡単な説明】
【０１８９】
【図１】本発明の液晶型映像表示装置の構成図
【図２】本発明の液晶型映像表示装置の構成図
【図３】本発明のホワイトバランスの制御方法のフローチャート
【図４】本発明のホワイトバランスの制御方法のフローチャート
【図５】本発明のホワイトバランスの制御方法のフローチャート
【図６】本発明のホワイトバランスの補正方法のフローチャート
【符号の説明】
【０１９０】
１  光源
２  映像変換部
３  スクリーン
４  映像信号制御部
５  光出力検出部
６  ホワイトバランス制御部
７  ガンマ補正値記憶装置部
８  目標値記憶装置部
２０  映像表示部
【図１】
2009225440.tif 000050
【図２】
2009225440.tif 000051
【図３】
2009225440.tif 000052
【図４】
2009225440.tif 000053
【図５】
2009225440.tif 000054
【図６】
2009225440.tif 000055